(57)【特許請求の範囲】
【請求項１】
空気が導入される本体と、
前記本体内に設けられ、第１フィルター、及び当該第１フィルターの下流側に配置される第２フィルターが収納される外気フィルターケースと、
を有し、
前記外気フィルターケースは、
前記第２フィルターを前記外気フィルターケース内で湾曲した形状に保持する板状の第２フィルター保持部を有し、
前記第２フィルター保持部は、
空気流れ方向に対して平行に設けられ、
前記外気フィルターケースのうち、空気流れ方向に直交する幅方向の一端側と他端側との間の位置に設けられている
ことを特徴とする換気装置。
【請求項２】
空気が導入される本体と、
前記本体内に設けられ、第１フィルター、及び当該第１フィルターの下流側に配置される第２フィルターが収納される外気フィルターケースと、
を有し、
前記外気フィルターケースは、
空気流れ方向に対して平行に設けられ、前記第２フィルターを前記外気フィルターケース内で湾曲した形状に保持する第２フィルター保持部を有し、
前記第２フィルター保持部は、
半楕円形形状に形成され、
当該半楕円の外周部分で前記第２フィルターを保持する
ことを特徴とする換気装置。
【請求項３】
前記第２フィルター保持部は、
鉛直方向に平行、又は水平方向に平行に設けられた
ことを特徴とする請求項１又は２に記載の換気装置。
【請求項４】
前記外気フィルターケースは、
前記第１フィルターが空気流れ方向に対して垂直に取り付けられるメッシュフィルターフレームの下端側が、
前記第２フィルター保持部が形成された外気フィルター保持部の下端側とヒンジを介して接続されて構成されている
ことを特徴とする請求項２又は３に記載の換気装置。
【請求項５】
前記メッシュフィルターフレームの上部には、
上側に突出して形成され、前記外気フィルター保持部と嵌合する第１嵌合部が形成され、
前記外気フィルター保持部の上部には、
上側に突出して形成され、前記メッシュフィルターフレームと嵌合する第２嵌合部が形成され、
前記第１嵌合部と前記第２嵌合部とは、
前記第１嵌合部が前記外気フィルター保持部に嵌合し、前記第２嵌合部が前記メッシュフィルターフレームに嵌合した状態において、隣接するように形成されている
ことを特徴とする請求項４に記載の換気装置。
【請求項６】
前記メッシュフィルターフレームの上部には、
上側に突出して形成され、前記外気フィルター保持部と嵌合する第１嵌合部が形成され、
前記外気フィルター保持部の上部には、
上側に突出して形成され、前記第１嵌合部と嵌合する第２嵌合部が形成された
ことを特徴とする請求項４に記載の換気装置。
【請求項７】
前記外気フィルターケースが収納されて、前記本体に取り付けられる外気フィルターフレームを有し、
前記外気フィルターフレームには、
当該外気フィルターフレームを引き出すハンドルが、下側に突出して形成されている
ことを特徴とする請求項１〜６のいずれか一項に記載の換気装置。
【請求項８】
前記外気フィルターケースは、
前記外気フィルターフレームとは異なる色の樹脂で形成された
ことを特徴とする請求項７に記載の換気装置。
【請求項９】
前記第２フィルターの代わりに、プリーツ形状をした第３フィルターが前記外気フィルターケースに取り付けられる場合であって、
前記外気フィルターフレームには、
対向する側面に、前記第３フィルターを保持するフィルターガイドが形成され、
前記第３フィルターは、
一方の端部側と他方の端部側とが前記フィルターガイドに保持されるとともに、
前記プリーツの間に前記第２フィルター保持部が設けられて、当該第２フィルター保持部に保持される
ことを特徴とする請求項１〜８に記載の換気装置。
【発明の詳細な説明】
【技術分野】
【０００１】
本発明は、換気装置に関するものである。
【背景技術】
【０００２】
従来の換気装置には、導入される外気に含まれる虫を除去するためのメッシュフィルターが設けられたメッシュフィルターユニットと、外気に含まれる粉塵を集塵するための外気清浄フィルターとを本体に備えたものが提案されている（たとえば、特許文献１参照）。
特許文献１に記載の技術は、メッシュフィルターユニットが外気取入れ口に配置され、外気清浄フィルターが外気フィルターケースに収納されてメッシュフィルターユニットの隣接する下流側に配置され、外気に含まれる塵埃などが室内へ入るのを防止することができるようになっているものである。
【先行技術文献】
【特許文献】
【０００３】
【特許文献１】特許第３９７９３４１号公報
【発明の概要】
【発明が解決しようとする課題】
【０００４】
フィルターのサイズは大きいほどフィルターを通過する面風速が低くなるので、フィルターのサイズは大きい方が捕集効率が高まる。ここで、特許文献１のように高さや横幅に制約を受ける住宅の階間、屋根裏などに換気装置が設置位置される場合には、それに応じて換気装置本体のサイズもコンパクトに設定する必要がある。このように、換気装置本体のサイズをコンパクトにすると、その分風路面積も制限されるため、当該風路に配置するフィルターのサイズも小さくなり、面風速が増加して外気に含まれる粉塵などの除去効率が低減する可能性がある。
【０００５】
すなわち、特許文献１に記載の技術は、風路面積も制限されてフィルターサイズが小さい分、外気に含まれる粉塵などの除去効率が低減する可能性があった。
また、特許文献１に記載の技術は、風路面積も制限されてフィルターサイズが小さい分、フィルターの圧力損失が増加してしまう可能性があった。
【０００６】
特許文献１に記載の技術は、メッシュフィルターユニットと、外気清浄フィルターとが独立して本体に設置される構成となっている。そのため、ユーザーがメッシュフィルター及び外気清浄フィルターを清掃する際には、メッシュフィルターユニットと外気清浄フィルターとの両方を取り出す必要があった。
すなわち、特許文献１に記載の技術は、清掃の際に、メッシュフィルターユニットを取り出す作業と、外気清浄フィルターを取り出す作業とが必要となる分、メンテナンス性（利便性）が損なわれてしまう可能性があった。
【０００７】
本発明は、以上のような課題を解決するためになされたもので、集塵効率の向上及び圧力損失低減を実現するとともに、メンテナンスしやすい換気装置を提供することを目的としている。
【課題を解決するための手段】
【０００８】
本発明に係る換気装置は、空気が導入される本体と、本体内に設けられ、第１フィルター、及び当該第１フィルターの下流側に配置される第２フィルターが収納される外気フィルターケースと、を有し、外気フィルターケースは、第２フィルターを外気フィルターケース内で湾曲した形状に保持する板状の第２フィルター保持部を有し、第２フィルター保持部は、空気流れ方向に対して平行に設けられ、外気フィルターケースのうち、空気流れ方向に直交する幅方向の一端側と他端側との間の位置に設けられているものである。
【発明の効果】
【０００９】
本発明に係る換気装置によれば、空気流れ方向に対して略平行に設けられ、第２フィルターが外気フィルターケース内で湾曲した形状を保持するように形成された第２フィルター保持部を有するので、集塵効率の向上及び圧力損失低減を実現することができる。
本発明に係る換気装置によれば、第１フィルター及び第２フィルターの両方が外気フィルターケースに設けられるので、外気フィルターケースを取り出す動作で両方のフィルターを取り出すことができ、メンテナンスしやすくなっている。
【図面の簡単な説明】
【００１０】
【図１】本発明の実施の形態に係る換気装置の本体の据付状態における斜視図である。
【図２】図１に示す換気装置の本体から外気フィルターユニットを取り出した状態の斜視図である。
【図３】本発明の実施の形態に係る換気装置の本体の主要部の概要構成例を示す模式図である。
【図４】外気フィルターユニットの斜視図である。
【図５】外気フィルターユニットを外気フィルターケースと外気フィルターフレームに分解した斜視図である。
【図６】外気フィルターユニットの縦断面図である。
【図７】外気フィルターケースを開いた状態の斜視図である。
【図８】図７に示す外気フィルターケースに不織布フィルターを取り付ける場合の説明図である。
【図９】外気フィルターケースに不織布フィルターの代わりに高性能フィルターを取り付ける説明図である。
【図１０】図９に示す外気フィルターケースに高性能フィルターを取り付けた状態の斜視図である。
【発明を実施するための形態】
【００１１】
以下、本発明の実施の形態を図面に基づいて説明する。
実施の形態．  
図１は、実施の形態に係る換気装置の本体１の据付状態における斜視図である。図２は、図１に示す換気装置の本体１から外気フィルターユニット４を取り出した状態の斜視図である。図３は、実施の形態に係る換気装置の本体１の主要部の概要構成例を示す模式図である。
本実施の形態に係る換気装置は、集塵効率及び圧力損失を向上させるとともに、メンテナンスをしやすくする改良が加えられたものである。
【００１２】
換気装置は、たとえば、建物内の屋根裏空間又は１階天井裏空間などに、本体１が設置されるものである。そして、換気装置は、本体１が建物内に設けられた外気ダクト、給気ダクト及び排気ダクトなどに接続されている。
すなわち、換気装置は、本体１に、建物外の空間に連通する外気ダクトを介して塵埃や虫などを含む外気が供給される。そして、当該外気が本体１内に設けられるフィルターによって清浄された後に給気ダクトを介して建物内に供給される。また、換気装置は、本体１に建物内の空気が吸い込まれ、排気ダクトを介して排出されるようになっている。
以下に、換気装置の本体１について説明する。
【００１３】
（本体１）
本体１は、略直方体形状の外郭を有するものであり、外気を取り込むための第１送風機７２と、室内空気を取り込むための第２送風機７４と、本体１に導入した外気と給気とを熱交換させる熱交換素子部７１と、本体１内に導入した外気を清浄する外気フィルターユニット４と、本体１の下面の一部を構成するパネル２と、パネル２に設けられる排気フィルター３とを有している。
【００１４】
本体１には、外気ダクトに接続される外気ダクト接続口２３が設けられ、給気ダクトに接続される給気ダクト接続口２４が設けられ、排気ダクトに接続される排気ダクト接続口２２が設けられている。なお、図１及び図２に示すように、給気ダクト接続口２４が複数形成された例を図示したが、その形成される数は図１及び図２に限定されるものではない。
【００１５】
本体１は、給気風路及び排気風路を有している。すなわち、本体１には、外気ダクト接続口２３、外気フィルターユニット４、熱交換素子部７１、第１送風機７２及び給気ダクト接続口２４を連通する給気風路を有するとともに、排気フィルター３、熱交換素子部７１及び第２送風機７４及び排気ダクト接続口２２を連通する排気風路を有している。
なお、給気風路における空気の流れは図３に示すＳに対応し、排気風路における空気の流れは、図３に示すＥに対応している。
【００１６】
本体１には、図２に示すように、外気フィルターユニット４を支持するための受け部９１が設けられている。この受け部９１は、外気フィルターユニット４が本体１に設置された状態において、後述する外気フィルターユニット４のフィックスピース５に対応する位置に、フィックスピース５に対応する数だけ設けられている。
本体１には、外気フィルターユニット４が本体１に取り付けられた状態において、外気フィルターユニット４の有する気密リブ１８（図４〜図６参照）の対向位置に、パッキンなどが設けられた溝（図示省略）が形成されている。そして、外気フィルターユニット４が本体１に取り付けられた状態において、この溝の形成部分が気密リブ１８が押しつけられることで給気風路の気密性が向上している。
【００１７】
（第１送風機７２及び第２送風機７４）
第１送風機７２及び第２送風機７４は、本体１に空気を取り込み、放出するものである。第１送風機７２は回転するファン７２Ａ及びファン７２Ａを回転させる電動機７２Ｂにより構成され、第２送風機７４は、回転するファン７４Ａ及びファン７４Ａを回転させる電動機７４Ｂにより構成されている。
第１送風機７２は、給気風路であって熱交換素子部７１の下流側に設けられている。また、第２送風機７４は、排気風路であって熱交換素子部７１の下流側に設けられている。
【００１８】
（熱交換素子部７１）
熱交換素子部７１は、本体１に導入した外気（給気）と、室内の空気（排気）とを熱交換させるものである。すなわち、熱交換素子部７１は、排気の熱量を給気で回収する機能を有しているものである。なお、熱交換素子部７１に流入した外気（給気）と、室内の空気（排気）とは混合しないように構成されている。
熱交換素子部７１は、給気風路に連通するとともに、排気風路に連通するように設けられている。そして、熱交換素子部７１は、給気風路において、外気フィルターユニット４の下流側であって第１送風機７２の上流側に設けられている。また、熱交換素子部７１は、排気風路において、排気フィルター３の上流側であって第２送風機７４の下流側に設けられている。
【００１９】
（外気フィルターユニット４）
外気フィルターユニット４は、空気中の粗塵などを除去するものである。すなわち、外気フィルターユニット４は、空気中の粗塵などを除去するフィルターを有しており、本体１内に導入した空気中の粗塵などを当該フィルターで除去することができるものである。外気フィルターユニット４は、給気風路において、熱交換素子部７１の上流側に設けられている。
外気フィルターユニット４の下部には、外気フィルターユニット４を取り出す際に保持するためのハンドル６、外気フィルターユニット４を本体１内に取り付けるためのフィックスピース５などが設けられている。
【００２０】
外気フィルターユニット４は、排気フィルター３を閉じた状態において、その下部が排気フィルター３によって覆われる。そして、外気フィルターユニット４は、排気フィルター３を開放することで下部が露出する（図１参照）。そして、ユーザーは、排気フィルター３を開放し、外気フィルターユニット４の下部が露出させて、ハンドル６を持って外気フィルターユニット４を本体１から引き出し可能となっている（図２参照）。
【００２１】
外気フィルターユニット４は、本体１に設けられている状態において、受け部９１によって支持される。すなわち、外気フィルターユニット４のフィックスピース５が、受け部９１によって支持されるため、外気フィルターユニット４が本体１内に取り付けられるようになっている。そして、フィックスピース５を水平方向に回転させることで、受け部９１からの支持が解除され、外気フィルターユニット４を本体１から取り外すことが可能となっている。
外気フィルターユニット４の構成などについては、後ほどの図４〜図１０の説明で詳述する。
【００２２】
（パネル２）
パネル２は、本体１の下面の一部を構成するものである。パネル２は、本体１の下面の一部を構成するように、本体１の下側に設けられている。パネル２には、排気フィルター３が本体１から引き出し可能なように、排気フィルター３の端部側が回転自在に固定されている。
【００２３】
（排気フィルター３）
排気フィルター３は、室内の空気に含まれる粗塵などを除去するためのフィルターであり、平面視形状が略長方形をしているものである。排気フィルター３の４つの端部側のうちの１つは、パネル２に回転自在に固定されている。
【００２４】
［外気フィルターユニット４の概要構成］
図４は、外気フィルターユニット４の斜視図である。図５は、外気フィルターユニット４を外気フィルターケース７と外気フィルターフレーム８に分解した斜視図である。図６は、外気フィルターユニット４の縦断面図である。なお、図４及び図５は、外気フィルターケース７内に取り付けられるフィルターを取り外した状態における斜視図である。図４〜図６を参照して、外気フィルターユニット４について詳しく説明する。
【００２５】
外気フィルターユニット４は、図６に示すように、フィルターなどが収納される外気フィルターフレーム８と、たとえばユーザーなどの用途に応じて選定される任意のフィルター８０１と、粗塵などを除去するためのフィルターが設けられる外気フィルターケース７とを有している。
外気フィルターユニット４には、図６に示すように、外気フィルターケース７及びフィルター８０１が、外気フィルターフレーム８から上下に引き出し可能なように設けられている。
【００２６】
（外気フィルターフレーム８）
外気フィルターフレーム８は、外気フィルターケース７の下側が接触して取り付けられる基部１０１Ｄ、基部１０１Ｄの一端側に立設される第１側面部１０１Ａ、基部１０１Ｄの一端側に立設される第２側面部１０１Ｂ、一端が第１側面部１０１Ａに接続され、他端が第２側面部１０１Ｂに接続される梁部１０１Ｃを有している。
【００２７】
（基部１０１Ｄ）
基部１０１Ｄは、外気フィルターフレーム８の下側の外郭を構成するものである。基部１０１Ｄには、「一端」側に第１側面部１０１Ａが立設され、「他端」側に第２側面部１０１Ｂが立設される。ここで、「一端」及び「他端」とは、空気流れ方向から外気フィルターフレーム８を見たときに、外気フィルターフレーム８の幅における「一端」及び「他端」に対応している。
基部１０１Ｄの下面側には、外気フィルターユニット４を取り出す際に保持するためのハンドル６、外気フィルターユニット４を本体１内に取り付けるためのフィックスピース５が３つ設けられている。
【００２８】
基部１０１Ｄの上面側には、虫などが溜められる虫ストック部１３８、水などを貯留可能なプール大１５５及びプール小１５６が設けられている。
基部１０１Ｄには、第１送風機７２によって発生する吸引力により、フィルター８０１が変形することを抑制するため、位置決め凸部１７２が設けられている。
【００２９】
（ハンドル６）
ハンドル６は、外気フィルターフレーム８を本体１から取り出すことができるように、ユーザーなどが保持する部分である。ハンドル６は、下側に突出するように、基部１０１Ｄの下面側に形成されている。図６では、ハンドル６の下側に突出した部分の縦断面形状が略長方形状をしているものを例として説明しているが、それに限定されるものではない。
【００３０】
また、たとえばフィルターなどが本体に直接取り付けられているような換気装置では、フィルターの交換をする際に、本体の内部を手探りでフィルターを引き出し部分を発見しなければならない場合がある。
しかしながら、本実施の形態に係る換気装置のハンドル６は、外気フィルターフレーム８に設けられているため、ユーザーにとって容易に視認することが可能となっている。そして、ユーザーは、ハンドル６を保持して引き出すことで、メッシュフィルター１３、不織布フィルター１４及びフィルター８０１の全てを一度に引き出すことができ、ユーザーがハンドル６を手探りで探すような状況になることを防止することができる。
【００３１】
（フィックスピース５）
フィックスピース５は、本体１内に外気フィルターフレーム８を保持させるための部品である。フィックスピース５は、基部１０１Ｄの下面側に設けられている。すなわち、基部１０１Ｄの下面側にはネジ受けボス１０７が設けられており、フィックスピース５は、ネジ１０５がワッシャー１０４を介してネジ受けボス１０７に螺合されることで固定されている。
【００３２】
フィックスピース５は、水平方向に軸回転させることが可能となっている。すなわち、フィックスピース５は、所定の角度回転させられることで、外気フィルターユニット４の受け部９１からの保持が解除され、外気フィルターユニット４を本体１から取り外すことが可能となる（図２参照）。
また、フィックスピース５は、本体１側ではなく、外気フィルターフレーム８側に設けられているため、フィックスピース５を解除して外気フィルターユニット４を取り出す際には、ユーザーが外気フィルターユニット４を手で持つこととなる。これにより、フィックスピース５を解除した瞬間に、外気フィルターユニット４が落下してしまうことを防止することができる。
【００３３】
なお、フィックスピース５を開いて受け部９１からの保持を解除することで、ユーザーは、ハンドル６を下方に引き出して外気フィルターユニット４を本体１から取り出すことができる。
また、フィックスピース５が基部１０１Ｄに設けられ、受け部９１が本体１に設けられた例を説明したが、それに限定されるものではなく、フィックスピース５が本体１に設けられ、受け部９１が基部１０１Ｄに設けられていてもよい。
さらに、フィックスピース５は、３つ設けられた例を図示しているがそれに限定されるものではない。
【００３４】
（虫ストック部１３８）
虫ストック部１３８は、メッシュフィルター１３に捕集されて、外気フィルターフレーム８に落下した粗塵などを貯留するためのものである。すなわち、虫ストック部１３８は、粗塵などが大量に捕集されて貯留されても、圧力損失が低下して換気性能が低下してしまうことを抑制するために、所定の貯留容積を有している。
虫ストック部１３８は、メッシュフィルター１３の上流側に設けられている。また、虫ストック部１３８は、基部１０１Ｄの上面と、第１側面部１０１Ａの内側面と、第２側面部１０１Ｂの内側面とによって構成されている。
なお、外気フィルターユニット４の清掃の際には、ユーザーが、虫ストック部１３８に溜まった粗塵などを、外気フィルターユニット４を本体１から取り出した後に、掃除機などで吸引して除去することができるようになっている。
【００３５】
（プール大１５５）
プール大１５５は、水などを貯留可能なものである。たとえば、外気に霧を多く含む場合には、当該霧がメッシュフィルター１３及び不織布フィルター１４で凝縮し、自重で下方に流れ落ちる。プール大１５５は、この下方に流れ落ちた水を貯留可能となっているものである。
プール大１５５は、少なくとも、基部１０１Ｄの上面と、第１側面部１０１Ａの内側面と、第２側面部１０１Ｂの内側面とによって構成されている。プール大１５５は、基部１０１Ｄの上面に形成された凹形状をしているものである。
プール大１５５は、給気風路と連通して設けられている。このため、プール大１５５内に貯留された水は、霧が納まった後、本体１内に供給される空気によって乾燥して除去される。
【００３６】
（プール小１５６）
プール小１５６も、プール大１５５と同様に水などを貯留可能なものである。プール小１５６は、メッシュフィルター１３で凝縮した水のうち、メッシュフィルター１３よりも上流側に流れ落ちた水を貯留するものである。プール小１５６は、第１側面部１０１Ａから第２側面部１０１Ｂに向かって伸びるように設けられている。
プール小１５６も、プール大１５５と同様に、給気風路と連通して設けられている。このため、プール小１５６内に貯留された水は、霧が納まった後、本体１内に供給される空気によって乾燥して除去される。
【００３７】
（第１側面部１０１Ａ）
第１側面部１０１Ａは、基部１０１Ｄの一端側に立設されるものであり、外気フィルターケース７及びフィルター８０１を保持するものである。
第１側面部１０１Ａは、外気フィルターケース７が外気フィルターフレーム８に取り付けられた状態において、外気フィルターケース７の一方の側面に対向しており、外気フィルターケース７の一方の側面側を保持するものである。
また、第１側面部１０１Ａは、フィルター８０１が外気フィルターフレーム８に取り付けられた状態において、外気フィルターケース７の一方の側面に対向しており、フィルター８０１の一方の側面側を保持するものである。
さらに、第１側面部１０１Ａの外側面、すなわち外気フィルターケース７が設けられる側とは反対側の側面には、垂直方向に気密リブ（図示省略）が形成されている。この図示省略の気密リブは、梁部１０１Ｃに形成される気密リブ１８の一端側から連続的に接続されているものである。
【００３８】
（第２側面部１０１Ｂ）
第２側面部１０１Ｂは、第１側面部１０１Ａに対称な形状を有するものである。すなわち、第２側面部１０１Ｂは、基部１０１Ｄの他端側に立設されるものであり、外気フィルターケース７及びフィルター８０１を保持するものである。
第２側面部１０１Ｂは、外気フィルターケース７が外気フィルターフレーム８に取り付けられた状態において、外気フィルターケース７の他方の側面に対向しており、外気フィルターケース７の他方の側面側を保持するものである。
また、第２側面部１０１Ｂは、フィルター８０１が外気フィルターフレーム８に取り付けられた状態において、外気フィルターケース７の他方の側面に対向しており、フィルター８０１の他方の側面側を保持するものである。
さらに、第２側面部１０１Ｂの外側面、すなわち外気フィルターケース７が設けられる側とは反対側の側面には、垂直方向に気密リブ（図示省略）が形成されている。この図示省略の気密リブは、梁部１０１Ｃに形成される気密リブ１８の他端側から連続的に接続されているものである。
【００３９】
（梁部１０１Ｃ）
梁部１０１Ｃは、一端が第１側面部１０１Ａに接続され、他端が第２側面部１０１Ｂに接続されるものである。梁部１０１Ｃには、上側に突出して設けられる気密リブ１８が形成されている。
気密リブ１８は、第１側面部１０１Ａから第２側面部１０１Ｂに向かって伸びるように形成されている。より詳細には、梁部１０１Ｃは、外気フィルターユニット４が本体１に取り付けられた状態において、水平面に対して平行に設けられている。
そして、気密リブ１８は、その一端が第１側面部１０１Ａに形成された気密リブ（図示省略）に接続され、他端が第２側面部１０１Ｂに形成された気密リブ（図示省略）に接続されており、水平面に対して平行に設けられている。
気密リブ１８は、外気フィルターユニット４が本体１に取り付けられた状態において、本体１内に設けられるパッキンが設けられた溝（図示省略）に押しつけられるようにして設けられ、給気風路の気密性を確保している。
【００４０】
（フィルター８０１）
フィルター８０１は、たとえばＮＯX （窒素酸化物）除去フィルターや脱臭フィルターなどのように、ユーザーなどの用途に応じて選定されるフィルターである。フィルター８０１の平面視形状は、略長方形をしている。
フィルター８０１は、図６に示すように、空気流れ方向に対して略垂直となるように、外気フィルターフレーム８に設けられている。より詳細には、フィルター８０１の下端部側が外気フィルターフレーム８の基部１０１Ｄに保持され、フィルター８０１の一方の側端部側が第１側面部１０１Ａに保持され、フィルター８０１の他方の側端部側が第２側面部１０１Ｂに保持される。
また、フィルター８０１は、空気流れ方向において、外気フィルターケース７の下流側に設けられている。
【００４１】
外気フィルターケース７は、粗塵などを除去するためフィルターを収納可能なものである。外気フィルターケース７は、外郭を構成するメッシュフィルターフレーム１０及び外気フィルター保持部１１から構成されている。また、外気フィルターケース７には、粗塵などを除去するメッシュフィルター１３と、たとえば屋外の環境条件に応じて選定される不織布フィルター１４とが収納される。外気フィルターケース７については、次の図７〜図１０の説明で詳しく説明する。
【００４２】
（外気フィルターケース７）
図７は、外気フィルターケース７を開いた状態の斜視図である。図８は、図７に示す外気フィルターケース７に不織布フィルター１４を取り付ける場合の説明図である。図７及び図８を参照して、外気フィルターケース７について説明する。
外気フィルターケース７は、メッシュフィルターフレーム１０及び外気フィルター保持部１１から構成され、メッシュフィルター１３及び不織布フィルター１４が内部に収納可能となっているものである。
外気フィルターケース７は、たとえば樹脂などで構成されるものであるが、外気フィルターフレーム８とは異なる色の樹脂を採用で構成するとよい。たとえば、外気フィルターケース７の樹脂の色は、ナチュラル色（乳白色）とするとよい。これにより、外気フィルターケース７と外気フィルターフレーム８とが別部品であることが簡単に認識できるようになり、ユーザーが、外気フィルターケース７と外気フィルターフレーム８とをどのように分離するかが分からなくなってしまうことを防止することができる。
【００４３】
（メッシュフィルターフレーム１０）
メッシュフィルターフレーム１０は、メッシュフィルター１３を保持するとともに、外気フィルター保持部１１と共に不織布フィルター１４を収納するものである。メッシュフィルターフレーム１０は、空気流れ方向において、外気フィルター保持部１１よりも上流側に位置するように、外気フィルターフレーム８に取り付けられる。
【００４４】
メッシュフィルターフレーム１０は、空気流れ方向に垂直な断面形状が、長方形形状をしてるものである。すなわち、メッシュフィルターフレーム１０は、上面、下面及び両側面を有し、前面側及び後面側が開放された形状をしている。
メッシュフィルターフレーム１０には、メッシュフィルター１３の前面側に接触して保持するメッシュフィルター保持リブ１９が３本形成されている。メッシュフィルター保持リブ１９は、メッシュフィルター１３がたわむことや、メンテナンス時に破れたりすることを防止するものである。なお、メッシュフィルター保持リブ１９の本数は、３本に限定されるものではない。
【００４５】
メッシュフィルターフレーム１０の後側の下端部は、外気フィルター保持部１１の前側の下端部が、ヒンジ１２を介して接続されている。このヒンジ１２によって、メッシュフィルターフレーム１０と外気フィルター保持部１１とが開閉自在に接続されている。
メッシュフィルターフレーム１０は、外気フィルター保持部１１と嵌合した状態において、不織布フィルター１４及びメッシュフィルター１３が収納される空間を形成する。すなわち、メッシュフィルターフレーム１０と外気フィルター保持部１１とが閉じた状態において、メッシュフィルターフレーム１０と外気フィルター保持部１１との間には、所定の間隔が設けられており、不織布フィルター１４及びメッシュフィルター１３を収納可能となっている。
【００４６】
メッシュフィルターフレーム１０の上部には、外気フィルター保持部１１と嵌合するツメ部９Ａが形成されている。また、メッシュフィルターフレーム１０の上部には、外気フィルター保持部１１に形成される後述のツメ部９Ｂと嵌合するための半球形状の突起（図示省略）が形成されている。
【００４７】
（外気フィルター保持部１１）
外気フィルター保持部１１は、メッシュフィルターフレーム１０と共に不織布フィルター１４を収納するものである。外気フィルター保持部１１は、空気流れ方向において、メッシュフィルターフレーム１０よりも上流側に位置するように設けられるものである。
外気フィルター保持部１１も、メッシュフィルターフレーム１０と同様に、空気流れ方向に垂直な断面形状が、長方形形状をしてるものである。すなわち、外気フィルター保持部１１は、上面、下面及び両側面を有し、前面側及び後面側が開放された形状をしているものである。
【００４８】
外気フィルター保持部１１には、不織布フィルター１４の後面側に接触して保持するリブ１５Ａが３本形成されている。なお、リブ１５Ａの本数は、３本に限定されるものではない。リブ１５Ａには、外気フィルター保持部１１からメッシュフィルターフレーム１０に向かって突出して形成される不織布フィルター形状ガイド１５が形成されている。
不織布フィルター形状ガイド１５は、この不織布フィルター１４が外気フィルターケース７内に設けられている状態において、不織布フィルター１４が湾曲（アーチ状）した状態を維持可能なように、不織布フィルター１４を保持するものである。
不織布フィルターガイド１５は、「空気流れ方向に平行であって鉛直方向に平行」となるようにリブ１５Ａに立設され、給気風路の圧力損失が低減してしまうことを抑制している。
不織布フィルター形状ガイド１５は、第１側面部１０１Ａ又は第２側面部１０１Ｂに垂直な方向から見た平面形状が、半楕円形形状をしているものである。すなわち、不織布フィルター形状ガイド１５は、半楕円形の外周に対応する縁が上流側に位置するように設けられている。そして、当該縁の部分不織布フィルター１４との接触部分となる。
【００４９】
なお、本実施の形態では、不織布フィルター形状ガイド１５が、「空気流れ方向に平行であって鉛直方向に平行」に配置された場合を例に説明しているが、それに限定されるものではない。たとえば、「空気流れ方向に平行であって水平方向に平行」に配置されたものであってもよい。これにより、不織布フィルター１４は、第１側面部１０１Ａ側及び第２側面部１０１Ｂ側が下流側に配置され、第１側面部１０１Ａと第２側面部１０１Ｂとの中間部分が上流側に突出するように湾曲する。すなわち、不織布フィルター形状ガイド１５が、「空気流れ方向に平行であって水平方向に平行」に配置された場合にも、不織布フィルター１４と供給された空気との接触面積を拡大することができる。
また、不織布フィルター形状ガイド１５の形状は、第１側面部１０１Ａ又は第２側面部１０１Ｂに垂直な方向から見た平面形状が、半楕円形形状に限定されるものではなく、縁の部分が曲面状になっていればよく、たとえば半円形形状などでもよい。
【００５０】
外気フィルター保持部１１の側面のうち第１側面部１０１Ａに対向する方の内側には、不織布フィルター１４の代わりに、高性能フィルター１６（図９及び図１０参照）を保持する第１高性能フィルターガイド１７が設けられている。
同様に、外気フィルター保持部１１の側面のうち第２側面部１０１Ｂに対向する方の内側には、高性能フィルター１６を保持する第２高性能フィルターガイド（図示省略）が設けられている。
第１高性能フィルターガイド１７は高性能フィルター１６の一端側を保持し、第２高性能フィルターガイドは、高性能フィルター１６の他端側を保持する。すなわち、第１高性能フィルターガイド１７には、高性能フィルター１６の端面を差し込むことが出来るようになっており、高性能フィルター１６と外気フィルター保持部１１に隙間が発生し、供給された外気が高性能フィルター１６を通らずに通過することを防ぐことができるようになっている。
【００５１】
外気フィルター保持部１１の前側の下端部には、メッシュフィルターフレーム１０の後側の下端部が、ヒンジ１２を介して接続されている。このヒンジ１２によって、外気フィルター保持部１１とメッシュフィルターフレーム１０とが開閉自在に接続されている。
【００５２】
外気フィルター保持部１１の上部には、メッシュフィルターフレーム１０と嵌合するツメ部９Ｂが形成されている。また、外気フィルター保持部１１の上部には、メッシュフィルターフレーム１０に形成されるツメ部９Ａと嵌合するための半球形状の突起（図示省略）が形成されている。
【００５３】
なお、このツメ部９Ｂは、メッシュフィルターフレーム１０と嵌合した状態において、ツメ部９Ａに隣接するように外気フィルターフレーム１１に形成されている。また、ツメ部９Ａについても、外気フィルターフレーム１１と嵌合した状態において、ツメ部９Ｂに隣接すうるようにメッシュフィルターフレーム１０に形成されている。これにより、ツメ部９Ａ及びツメ部９Ｂは、外気フィルターフレーム８から外気フィルターケース７を引き上げて取り出すときの取手の役割も果たしている。
また、外気フィルターケース７と外気フィルターフレーム８との色が異なるとともに、ツメ部９Ａ、９Ｂがあることによって、ユーザーが、視覚的、構造的に外気フィルターケースと外気フィルターフレーム８とを分離可能であることが容易に判断することが可能となっている。なお、外気フィルターフレーム８の色は、たとえば黒色とするとよい。
さらに、本実施の形態では、ツメ部９Ａが外気フィルター保持部１１と嵌合し、ツメ部１１Ｂがメッシュフィルターフレーム１０と嵌合する場合を例に説明したがそれに限定されるものではなく、たとえばツメ部９Ａ及びツメ部９Ｂを、ツメ部９Ａとツメ部９Ｂとが嵌合するように構成してもよい。
【００５４】
（メッシュフィルター１３）
メッシュフィルター１３は、外気に含まれる粗塵、特に径の大きい粗塵などを除去するように構成されたフィルターである。メッシュフィルター１３は、たとえば、メッシュフィルターフレーム１０に溶着で固定、或いはメッシュフィルターフレーム１０と一体成形されたものである。
メッシュフィルター１３は、空気流れ方向に対して略垂直となるように、外気フィルターケース７に設けられている。より詳細には、メッシュフィルター１３は、その上流側面がメッシュフィルター保持リブ１９の後面側に押しつけられて設けられ、メッシュフィルター１３の下流側面が不織布フィルター１４の前面側に押しつけられて設けられている。
【００５５】
（不織布フィルター１４）
不織布フィルター１４は、粗塵などのうち、たとえば花粉などの細かい塵埃を除去するフィルターである。不織布フィルター１４は、外気フィルターケース７に収納された状態において、不織布フィルター形状ガイド１５の縁に沿うように湾曲して設けられるものである。
【００５６】
不織布フィルター１４は、略平板形状をしており、手でたわませて外気フィルター保持部１１の不織布フィルター形状ガイド１５に取り付ける。そして、外気フィルターケース７が閉じると、不織布フィルター１４は前面側がメッシュフィルター１３に押しつけられるとともに、後面側が不織布フィルター形状ガイド１５に湾曲した状態で押しつけられて保持される。このため、不織布フィルター１４は、外気フィルターケース７に収納された状態において湾曲した状態が保持される。
このように、不織布フィルター１４は、湾曲させないで空気流れ方向に対して垂直に設けられる場合と比較すると、供給される外気との接触面積が１．５倍程度拡大するため、塵埃の除去効率を向上させるとともに及び圧力損失を低減させることができるようになっている。
【００５７】
本実施の形態では、不織布フィルター１４が、略平板形状をしており、手でたわませて外気フィルター保持部１１の不織布フィルター形状ガイド１５に取り付けるものとして説明したがそれに限定されるものではない。たとえば、不織布フィルター１４が、元から不織布フィルター形状ガイド１５の縁に沿うように湾曲した形状のものであってもよい。
【００５８】
図９は、外気フィルターケース７に不織布フィルター１４の代わりに高性能フィルター１６を取り付ける場合の説明図である。図１０は、図９に示す外気フィルターケース７に高性能フィルター１６を取り付けた状態の斜視図である。なお、図１０（ａ）が外気フィルターケース７を閉じた状態の斜視図であり、図１０（ｂ）が外気フィルターケース７を開いた状態の斜視図である。
外気フィルターケース７は、不織布フィルター１４の代わりに、より捕集性能の高い高性能フィルター１６を設置できるようになっている。図９及び図１０を参照して、高性能フィルター１６について説明する。
【００５９】
（高性能フィルター１６）
高性能フィルター１６は、プリーツ形状をしているフィルターであり、不織布フィルター１４よりもさらに集塵性能の高いフィルターである。
高性能フィルター１６は、外気フィルターケース７に収納された状態において、一端側が第１高性能フィルターガイド１７によって保持され、他端側が第２高性能フィルターガイドによって保持されるものである。これにより、高性能フィルター１６と外気フィルター保持部１１に隙間が発生し、供給された外気が高性能フィルター１６を通らずに通過することを防ぐことができるようになっている。
また、高性能フィルター１６には、外気フィルターケース７に収納された状態において、プリーツ間に不織布フィルター形状ガイド１５が設けられるようになっており、確実に高性能フィルター１６を保持することが可能となっている。
【００６０】
［給気及び排気の流れ］
外気ダクト接続口２３から導入された外気（給気）は、メッシュフィルター１３を通過する。ここで虫などの粗塵が除去される。虫などの粗塵は、そのままメッシュフィルター１３上に留まるか、もしくは自重で落下し虫ストック部１３８に貯留される。
メッシュフィルター１３を通過した花粉などの微細な集塵は、不織布フィルター１４或いは高性能フィルター１６で捕集される。
このように、メッシュフィルター１３と、不織布フィルター１４或いは高性能フィルター１６とを通過した給気は、熱交換素子部７１に流入して排気と熱交換した後に、給気ダクト接続口２４から放出される。
排気フィルター３で粗塵などが除去された後に本体１内に流入した室内空気（排気）は、熱交換素子部７１に流入して給気と熱交換した後に、第２送風機７４を介して排気ダクト接続口２２から放出される。
【００６１】
［実施の形態に係る換気装置の有する効果］
実施の形態に係る換気装置は、外気フィルターケース７にメッシュフィルター保持リブ１９が設けられているので、不織布フィルター１４が湾曲した状態で外気フィルターケース７内に収納されるため、供給された外気に対する不織布フィルター１４の接触面積を拡大することができ、集塵効率の向上及び圧力損失低減を実現することができる。
【００６２】
本実施の形態に係る換気装置は、メッシュフィルター１３、不織布フィルター１４（或いは高性能フィルター１６）及びフィルター８０１が、外気フィルターフレーム８に一体的に設けられている。すなわち、ユーザーが、外気フィルターフレーム８を本体１から取り出すことで、メッシュフィルター１３、不織布フィルター１４（或いは高性能フィルター１６）及びフィルター８０１を同時に取り出すことができるため、メンテナンスしやすくなっている。
たとえば、建物の天井などに換気装置が設置されると、脚立などに登らなければ外気フィルターユニット４を取り出すことができない。しかしながら、本実施の形態に係る換気装置のように、外気フィルターユニット４を取り出すことで、メッシュフィルター１３、不織布フィルター１４（或いは高性能フィルター１６）及びフィルター８０１を一度に取り出すことができると、その分ユーザーの負荷を軽減させることができる。
【００６３】
実施の形態に係る換気装置は、外気フィルターケース７に第１高性能フィルターガイド１７及び第２高性能フィルターガイドが設けられているので、不織布フィルター１４の代わりに、より集塵効率の高い高性能フィルター１６を取り付けることが可能となっている。
なお、高性能フィルター１６には、プリーツが形成されるため、不織布フィルター１４と比較するとかさばる部材である。しかしながら、高性能フィルター１６は、プリーツ間に不織布フィルター形状ガイド１５を収めることが可能となっており、外気フィルターケース７のスペースを有効に活用することができるようになっている。
【００６４】
実施の形態に係る換気装置は、不織布フィルター形状ガイド１５が設けられているため、不織布フィルター１４がアーチ状にセットされることがメンテナンス後に再セットする場合でも容易に分かるようになっている。
【符号の説明】
【００６５】
１  本体、２  パネル、３  排気フィルター、４  外気フィルターユニット、５  フィックスピース、６  ハンドル、７  外気フィルターケース、８  外気フィルターフレーム、９  つまみ部、９Ａ  ツメ部（第１嵌合部）、９Ｂ  ツメ部（第２嵌合部）、１０  メッシュフィルターフレーム、１１  外気フィルター保持部、１２  ヒンジ、１３  メッシュフィルター（第１フィルター）、１４  不織布フィルター（第２フィルター）、１５  不織布フィルター形状ガイド（第２フィルター保持部）、１５Ａ  リブ、１６  高性能フィルター（第３フィルター）、１７  第１高性能フィルターガイド（フィルターガイド）、１８  気密リブ、１９  メッシュフィルター保持リブ、２２  排気ダクト接続口、２３  外気ダクト接続口、２４  給気ダクト接続口、７１  熱交換素子部、７２  第１送風機、７２Ａ  ファン、７２Ｂ  電動機、７４  第２送風機、７４Ａ  ファン、７４Ｂ  電動機、９１  受け部、１０１Ａ  第１側面部、１０１Ｂ  第２側面部、１０１Ｃ  梁部、１０１Ｄ  基部、１０４  ワッシャー、１０５  ネジ、１０７  ネジ受けボス、１３８  虫ストック部、１５５  プール大、１５６  プール小、１７２  位置決め凸部、８０１  フィルター。
【図１】
0005822752.tif 000002
【図２】
0005822752.tif 000003
【図３】
0005822752.tif 000004
【図４】
0005822752.tif 000005
【図５】
0005822752.tif 000006
【図６】
0005822752.tif 000007
【図７】
0005822752.tif 000008
【図８】
0005822752.tif 000009
【図９】
0005822752.tif 000010
【図１０】
0005822752.tif 000011